(57)【要約】【課題】フリーアクセスフロアを施工するときの作業性が悪化するのを防止できる他に、パネルを大きな面積で安定して固定、支持することができると共に、いずれかのパネルにガタツキが発生するのを防止することができるパネル支持構造を提供する。【解決手段】パネル５と、このパネル５を載置するパネル載置面を有するパネル支持部４７とによって構成されるパネル支持構造において、パネル載置面に、パネル５の裏面四隅部における外周部分より内側の領域部分のみを載置可能にする突出載置部５２ｈを形成したことを特徴とする。【効果】フリーアクセスフロアを施工するときの作業性が悪化するのを防止できる他に、パネルを大きな面積で安定して固定、支持することができると共に、いずれかのパネルにガタツキが発生するのを防止することができる。【選択図】図１
2008002126.tif 000002
【特許請求の範囲】
【請求項１】
パネルと、このパネルを載置するパネル載置面を有するパネル支持部とによって構成されるパネル支持構造において、
前記パネル載置面に、前記パネルの裏面四隅部における外周部分より内側の領域部分のみを載置可能にする突出載置部を形成したことを特徴とするパネル支持構造。
【請求項２】
前記パネルは、外周部分が前記パネル外周部分より内側に位置するよう小さく形成された裏打鉄板を裏側に有するパネルであり、前記領域部分が前記裏打鉄板の裏面四隅部の各部分であることを特徴とする請求項１に記載のパネル支持構造。
【請求項３】
前記領域部分の厚さ寸法精度が、パネル外周部分の厚さ寸法精度よりも良好に形成されたことを特徴とする請求項１又は２に記載のパネル支持構造。
【請求項４】
前記突出載置部が、前記裏打鉄板の平面のみに接触することを特徴とする請求項２に記載のパネル支持構造。
【発明の詳細な説明】
【技術分野】
【０００１】
本発明は、例えば、クリーンルームやオフィスルーム等の床部に敷設され、コンクリート床面との間に空間を設けて構成されるフリーアクセスフロアを構成する複数のフロアパネルを固定して支持するために用いられるパネル支持構造に関するものである。
【背景技術】
【０００２】
このようなパネル支持構造としては従来は、例えば、特許文献１に示すようなものがあった。また従来のパネル支持構造は、図１０，１１に示すように、パネル支持脚６の上部の調整台６ａの上に、４枚のパネル５の各隅部を固定して支持し、図１０において、パネル支持脚６はコンクリート床面８の上に立設されている。
【０００３】
従来は、あまり寸法精度が良くない、例えばコンクリートパネルのようなパネル５を用いた場合に、４枚のパネル５の各隅部を同時に、頭部付ボルト１２の板状の頭部１２ａにより上から押さえ付けて調整台６ａ上に固定したとき、大きな面積で安定して固定することができないおそれがあると共に、４枚のパネル５の中のいずれかが、その板状の頭部１２ａと調整台６ａとの間で上下動するガタツキが生じるおそれがあるという問題があった。
【０００４】
また、コンクリートパネルは、それに用いるモルタルの材質だけでは割れ易いので、図１２，１３に示すように、パネル５の裏面に裏打鉄板７を貼り付けることにより、そのパネル５に割れに対する強度をもたせることができるようになっている。このとき裏打鉄板７は、図１２に示すように、パネル５の側面５ａから外側に突出することを防止するために、裏打鉄板７の周辺部７ａをパネル５の側面５ａから内側に少し引っ込ませて貼り付けるようになっている。
【０００５】
図１２に示すように、裏打鉄板７にはプレスにより、パネル５側に起き上がる爪５ｄが、裏打鉄板７の四隅の後述する所定の領域部分を除いて全面にわたって均一に形成されており、その爪５ｄがパネル５の形成時にその肉厚内に埋め込まれて、裏打鉄板７がパネル５から容易に剥がれないように互いに一体化されている。
【０００６】
パネル５の裏面に貼り付けられる裏打鉄板７は、上述したように、パネル５の外周より内側に少し引っ込ませて小さく形成されている。このため、パネル５裏面の外周部分は裏打鉄板７が無いため、成型の際にコンクリートがパネル５裏面よりもさらに裏側に膨らむような現象が発生し、結果的に「だれ」（突出部）が生じてしまう。
【０００７】
すなわち、パネル５の側面５ａから内側に少し引っ込ませて貼り付けた裏打鉄板７の周辺部７ａと、パネル５の側面５ａとの間のパネル裏面部、すなわち裏打鉄板７が貼り付けられていないパネル５の裏面周辺部５ｃが、図１４に示すように、裏打鉄板７の裏面７ｂよりもさらに裏側に膨らむことがある。
【０００８】
このようなコンクリートパネル５の、裏打鉄板７が貼り付けられていない裏面周辺部５ｃは、裏打鉄板７の裏面７ｂよりもさらに裏側に膨らむこともあるが、膨らまないこともあり、また、膨らんだときもその程度がまちまちで一様ではない。また、仮に裏打鉄板７をパネル５と同じ大きさにした場合でも、パネル５の成型の際にパネル５外周部でバリやだれが生じることがある。
【０００９】
このため、このようなコンクリートパネル５の裏面を、その上面が単一平面の調整台６ａで受けるだけでは、点接触等、非常に狭い面積でしか互いに接触できないおそれがあり、大きな面積で安定して固定することができないおそれがある。
【００１０】
また、裏打鉄板７が貼り付けられていない裏面周辺部５ｃはその厚さが一様ではないので、隣り合うパネル５間に段差が生じて、４枚のパネル５の各隅部を同時に、頭部付ボルト１２の頭部１２ａにより上から押さえ付けて調整台６ａ上に固定したとき、４枚のパネル５の中の裏面周辺部５ｃの高さが薄い方のパネル５が、その頭部１２ａと調整台６ａとの間で上下動するガタツキが生じるおそれがあるという問題があった。
【特許文献１】特公平１−３０６０７号公報
【発明の開示】
【発明が解決しようとする課題】
【００１１】
このような問題を解決するために従来は、コンクリートパネル５の裏面周辺部５ｃの、裏打鉄板７の裏面７ｂよりもさらに裏側に膨らんだ部分を手作業や機械で削り取って、その裏面周辺部５ｃの厚さを、裏打鉄板７が貼り付けられている部分の厚さと同じ、又はそれ以下にしてから、パネル５をパネル支持脚６の調整台６ａ上に固定するようにしていた。このため、そのようなパネル５を用いてフリーアクセスフロアを施工するときの作業性が著しく悪化して、施工時間や工数、コストの増加を招いていた。
【００１２】
そこで本発明は、上記問題点に鑑みて、フリーアクセスフロアを施工するときの作業性が悪化するのを防止できる他に、パネルを大きな面積で安定して固定、支持することができると共に、いずれかのパネルにガタツキが発生するのを防止することができるパネル支持構造を提供することを課題とするものである。
【課題を解決するための手段】
【００１３】
上記課題を解決するために本発明は、
パネルと、このパネルを載置するパネル載置面を有するパネル支持部とによって構成されるパネル支持構造において、
前記パネル載置面に、前記パネルの裏面四隅部における外周部分より内側の領域部分のみを載置可能にする突出載置部を形成したことを特徴とするものである。
【００１４】
また本発明のパネル支持構造において、前記パネルは、外周部分が前記パネル外周部分より内側に位置するよう小さく形成された裏打鉄板を裏側に有するパネルであり、前記領域部分が前記裏打鉄板の裏面四隅部の各部分であることを特徴とするものである。
【００１５】
また本発明のパネル支持構造において、前記領域部分の厚さ寸法精度が、パネル外周部分の厚さ寸法精度よりも良好に形成されたことを特徴とするものである。
【００１６】
また本発明のパネル支持構造において、前記突出載置部が、前記裏打鉄板の平面のみに接触することを特徴とするものである。
【発明の効果】
【００１７】
このような本発明のパネル支持構造によれば、
パネルと、このパネルを載置するパネル載置面を有するパネル支持部とによって構成されるパネル支持構造において、
前記パネル載置面に、前記パネルの裏面四隅部における外周部分より内側の領域部分のみを載置可能にする突出載置部を形成したことにより、
フリーアクセスフロアを施工するときの作業性が悪化するのを防止できる他に、パネルを大きな面積で安定して固定、支持することができると共に、いずれかのパネルにガタツキが発生するのを防止することができる。
【００１８】
また、本発明のパネル支持構造において、前記パネルは、外周部分が前記パネル外周部分より内側に位置するよう小さく形成された裏打鉄板を裏側に有するパネルであり、前記領域部分が前記裏打鉄板の裏面四隅部の各部分であることにより、
フリーアクセスフロアを施工するときの作業性が悪化するのを防止できる他に、パネルの寸法精度が良くない場合でもそのパネルを大きな面積で安定して固定、支持することができると共に、いずれかのパネルにガタツキが発生するのを防止することができる。
【００１９】
また、本発明のパネル支持構造において、前記領域部分の厚さ寸法精度が、パネル外周部分の厚さ寸法精度よりも良好に形成されたことにより、
パネルを大きな面積で安定して固定、支持することができると共に、いずれかのパネルにガタツキが発生するのを防止することができる。
【００２０】
また、本発明のパネル支持構造において、前記突出載置部が、前記裏打鉄板の平面のみに接触することにより、
パネルを大きな面積で安定して固定、支持することができると共に、いずれかのパネルにガタツキが発生するのを防止することができる。
【発明を実施するための最良の形態】
【００２１】
以下、本発明に係るパネル支持構造を実施するための最良の形態について、図面に基づいて具体的に説明する。
図１から図９は、本発明の一実施の形態に係るパネル支持構造５０について説明するために参照する図である。
【００２２】
図１から図３に示すように、本実施の形態に係るパネル支持構造５０は、フリーアクセスフロア用のコンクリートパネル５を固定するために用いられるもので、このパネル５を着脱可能に固定する、頭部４８とオスネジ部４６を有する固定ボルト４５と、オスネジ部４６が締結するネジ孔を有し、前記頭部４８との間にパネル５を挟んで固定して支持するパネル支持脚４７（パネル支持部）とを備えた構成となっている。
【００２３】
コンクリートパネル５は、図２，３に示すように、固定ボルト４５の円板状の頭部４８と、パネル支持脚４７が有する調整台５２との間に配置され、固定ボルト４５が有するオスネジ部４６を、調整台５２の軸線上部に形成されたネジ孔５２ｂ（図４，６参照）にネジ締結させることにより、固定ボルト４５の円板状の頭部４８と、調整台５２の円板状のパネル支持部５２ａとの間に挟んで固定されるようになっている。
【００２４】
このようにコンクリートパネル５を固定するときは、そのパネル５の裏面をパネル支持部５２ａの上面に当接させ、固定ボルト４５の頭部４８の下面をパネル５の固定押圧面５ｅに当接させて、オスネジ部４６を調整台５２のネジ孔５２ｂに締め付けて上記両当接部を押圧することにより、パネル５の隅部の固定押圧面５ｅに対応する板厚部を、頭部４８とパネル支持部５２ａとの間に挟んで固定するようになっている。
なお、本発明は、パネル５を固定しないパネル支持構造であってもよい。
【００２５】
図１においてはコンクリートパネル５が１枚だけ示されているが、４枚のパネル５相互間の境界線の交差部にその軸中心が来るようにパネル支持脚４７を配置したときは、図１１に示す従来例と同様に、パネル支持脚４７（６）の周りに４枚のパネル５の各隅部が配置されてそれらを共に固定、支持することができることはいうまでもない。
【００２６】
図３，８に示すように、コンクリートパネル５の固定押圧面５ｅの円弧中心側には、調整台５２のパネル支持部５２ａから上方に突出する上ボス部５２ｃ（図３参照）の外周面に対向する円弧内周面５ｆが形成され、固定押圧面５ｅの円弧中心と反対側には、頭部４８のテーパ状の外周面に対向するテーパ内周面５ｇが形成されている。
【００２７】
図４，５に示すように、調整台５２には、パネル支持部５２ａの上面及び上ボス部５２ｃの外周面に一体的に、４枚のリブ５２ｄが上ボス部５２ｃから放射状に形成されており、これらのリブ５２ｄは、図１に一部示すように、互いに隣合うコンクリートパネル５相互間に挟まれて配置されるようになっている。
【００２８】
また調整台５２には、図６に示すように、ネジ孔５２ｂより図中下方に、このネジ孔５２ｂより径が大きなネジ孔５２ｅが形成されていて、このネジ孔５２ｅはパネル支持脚４７のネジ棒部材４９（図３参照）の上端部にネジ締結されるようになっている。また、図６に示すように、調整台５２の下ボス部５２ｆの高さ途中のネジ孔には、ネジ棒部材４９に対して調整台５２の高さを固定するための高さ固定ボルト５４がネジ締結されるようになっている。
【００２９】
図４から図６に示すように、調整台５２のパネル支持部５２ａ上面（パネル載置面）には、円周方向に間隔を置いて、扇形をした４つの支持面５２ｈ（突出載置部）が、他の面５２ｇから上方に突出して形成されている。このような支持面５２ｈは、パネル５裏面の後述する所定の領域部分に接触してパネル５を支持するようになっている。
【００３０】
このため、図９に示すように、コンクリートパネル５の裏面より図中下方に膨らんだ裏面周辺部５ｃは、調整台５２の互いに隣合う支持面５２ｈ間に形成され、支持面５２ｈより低くなっている他の面５２ｇを底面とする凹部５２ｊ内に入り込んで、支持面５２ｈにも他の面５２ｇにも当たらないように逃がすようになっている。
【００３１】
すなわちコンクリートパネル５は、前記従来のパネル支持構造の説明の中で説明したパネル５と同様に構成されており（図１２から１４参照）、図１及び図１２に示すように、調整台５２のパネル支持部５２ａの他の面５２ｇから上方に突出した支持面５２ｈは、パネル５裏面の裏打鉄板７の裏面７ｂ隅部で、爪５ｄが形成されていない平面の領域部分に接触してパネル５を支持するようになっている。
【００３２】
パネル５裏面に裏打鉄板７が貼り付けられている部分のパネル５厚さ寸法の精度は、裏打鉄板７が貼り付けられていない裏面周辺部５ｃの厚さ寸法の精度よりも良好なものとなっている。パネル５裏面の裏打鉄板７が貼り付けられていない裏面周辺部５ｃは、図１４に示すように、パネル５の成形後に、裏打鉄板７の裏面７ｂよりもさらに裏側に膨らむこともあるが、膨らまないこともあり、また、膨らんだときもその程度がパネル５によってまちまちで、一様ではないからである。
【００３３】
このように構成されたパネル支持構造５０によれば、調整台５２のパネル支持部５２ａ上面に、支持面５２ｈが他の面５２ｇから上方に突出して形成され、この支持面５２ｈがパネル５裏面の所定の領域部分、すなわちパネル５裏面の裏打鉄板７の裏面７ｂ隅部で、爪５ｄが形成されていない平面の領域部分に接触してパネル５を支持するようになっている。
【００３４】
このため、コンクリートパネル５の裏面周辺部５ｃの、裏打鉄板７の裏面７ｂよりも下方に膨んだ部分を手作業や機械で削り取る必要が無いため、フリーアクセスフロアを施工するときの作業性が悪化するのを防止することができる。またこのため、フリーアクセスフロアの施工に要する工数、コストや時間を低減させることができる。
【００３５】
また、調整台５２の支持面５２ｈはその全面が裏打鉄板７の裏面に接触できるので、パネル５を大きな面積で安定して固定、支持することができる。
【００３６】
また、パネル５裏面の裏打鉄板７が貼り付けられている部分のパネル５の厚さ寸法の精度は、裏打鉄板７が貼り付けられていない裏面周辺部５ｃの厚さ寸法の精度よりも良好となっており、裏面周辺部５ｃは凹部５２ｊ内に入り込ませて逃がすことができるので（図９参照）、パネル５の裏面周辺部５ｃの厚さの不均一により４枚のパネル５のいずれかにガタツキが発生するのを防止することができる。
【００３７】
なお、前記一実施の形態においては、パネル支持部５２ａ上面の支持面５２ｈがパネル５裏面の裏打鉄板７の裏面７ｂ隅部に接触した場合について説明したが、裏打鉄板７は鉄板に限定する必要はなく、裏打鉄板７の代わりに他の材料の板部材を用いてもよい。
【００３８】
また、前記実施の形態においては、パネル支持部５２ａ上面の支持面５２ｈがパネル５裏面の裏打鉄板７の裏面７ｂ隅部に接触した場合について説明したが、パネル５裏面の所定の領域部分に相当するパネル５部分の厚さ寸法の精度が良好であれば、パネル５裏面には裏打鉄板７が貼り付けられていなくともよい。
【００３９】
また、前記実施の形態においては、図４に示すように、調整台５２の支持面５２ｈが扇形に形成されていたが、支持面５２ｈは扇形に限定する必要はなく、円形や四辺形その他どのような形状に形成されてもよい。
【００４０】
また、本発明は厚さ寸法の精度があまり良くないパネルの場合に有効なので、前記実施の形態においては、フリーアクセスフロア用のパネルにコンクリートパネル５を用いた場合について説明したが、本発明は、例えばパーチクルボード、すなわち、材木の小片（パーチクル）をプレスで固めた板状体を鉄板により包んで割れないように構成したパーチクルボード等の、コンクリートパネル以外のパネルやボード等の板状体を用いることもできる。
【図面の簡単な説明】
【００４１】
【図１】本発明の第１の実施の形態に係るパネル支持構造５０を示す上面図である。
【図２】図１に示すパネル支持構造５０の側面図である。
【図３】図２に示すパネル支持構造５０の分解側面図である。
【図４】図３に示すパネル支持脚４７の上面図である。
【図５】図３に示す調整台５２の側面図である。
【図６】図４に示す調整台５２のＡ−Ａ線断面図である。
【図７】図５に示す調整台５２の下面図である。
【図８】図３に示すパネル５の固定押圧面５ｅを示す部分拡大上面図である。
【図９】図１におけるパネル５をＢ-Ｂ線断面で示した調整台５２の側面図である。
【図１０】従来のパネル支持構造を示す断面側面図である。
【図１１】図１０に示すパネル支持構造の上面図である。
【図１２】パネル５の下面図である。
【図１３】図１２におけるパネル５のＣ-Ｃ線断面図である。
【図１４】パネル５の裏側に膨らんだ裏面周辺部５ｃを示す部分拡大断面図である。
【符号の説明】
【００４２】
５  コンクリートパネル
５ａ  側面
５ｃ  裏面周辺部
５ｄ  爪部
５ｅ  固定押圧面
５ｆ  円弧内周面
５ｇ  テーパ内周面
７  裏打鉄板
７ａ  周辺部
７ｂ  裏面
８  コンクリート床面
１２  板状頭部付ボルト
１２ａ  板状頭部
４５  固定ボルト
４６  オスネジ部
４７  パネル支持脚
４８  板状頭部
４９  ネジ棒部材
５０  パネル支持構造
５２  調整台
５２ａ  パネル支持部
５２ｂ  ネジ孔
５２ｃ  上ボス部
５２ｄ  リブ
５２ｅ  ネジ孔
５２ｆ  下ボス部
５２ｇ  他の面
５２ｈ  支持面
５２ｊ  凹部
５４  高さ固定ボルト
【図１】
2008002126.tif 000003
【図２】
2008002126.tif 000004
【図３】
2008002126.tif 000005
【図４】
2008002126.tif 000006
【図５】
2008002126.tif 000007
【図６】
2008002126.tif 000008
【図７】
2008002126.tif 000009
【図８】
2008002126.tif 000010
【図９】
2008002126.tif 000011
【図１０】
2008002126.tif 000012
【図１１】
2008002126.tif 000013
【図１２】
2008002126.tif 000014
【図１３】
2008002126.tif 000015
【図１４】
2008002126.tif 000016